(57)【要約】【課題】照明装置の周辺の人の画像を、効率よく撮影して保存し、かつ、必要な画像の撮影の漏れを少なくすることが可能な照明装置システムを提供する。【解決手段】太陽電池照明装置システム１は太陽電池照明装置１０，１１を備える。太陽電池照明装置１０，１１は、それぞれ、太陽電池と蓄電池と照明部とを含む。太陽電池照明装置１０は、撮像部１０９と画像蓄積部１１０と照明通信部１１２と制御部１０８とを含む。太陽電池照明装置１１１は、人検知部１０７１と照明通信部１１２１とを含む。照明通信部１１２，１１２１は互いに信号の送受信を行なう。太陽電池照明装置１１は、人検知部１０７１が人を検知した場合に照明通信部１１２１を通して照明通信１１２に信号を送信する。制御部１０８は、照明通信部１１２が照明通信部１１２１から信号を受信した場合に、画像の撮影を行なうように撮像部１０９を制御する。【選択図】図１
2010213165.tif 000002
【特許請求の範囲】
【請求項１】
主照明装置と副照明装置とを備え、
前記主照明装置と前記副照明装置とは、それぞれ、太陽電池と、前記太陽電池によって発電された電力によって充電される蓄電池と、前記蓄電池から供給される電力によって点灯される照明部とを含み、
前記主照明装置は、前記主照明装置の周辺の画像を撮影するための撮像部と、前記撮像部で撮影された画像を保存する画像保存部と、前記副照明装置と通信するための第１の照明通信部と、前記撮像部を制御する制御部とを含み、
前記副照明装置は、前記副照明装置の周辺に人がいることを検知するための副検知部と、前記主照明装置と通信するための第２の照明通信部とを含み、
前記第１の照明通信部と前記第２の照明通信部とは、互いに信号の送受信を行なうことが可能であるように構成され、
前記副照明装置は、前記副検知部が人を検知した場合に、前記第２の照明通信部を通して前記第１の照明通信部に信号を送信し、
前記主照明装置の前記制御部は、前記第１の照明通信部が前記第２の照明通信部から送信された信号を受信した場合に、前記撮像部が画像の撮影を行なうように前記撮像部を制御する、照明装置システム。
【請求項２】
複数の前記副照明装置を備え、
前記制御部は、
前記第１の照明通信部が前記第２の照明通信部から送信された信号を受信したときに、信号を送信した前記第２の照明通信部を有する前記副照明装置が前記主照明装置に隣接する前記副照明装置であるかどうかを判断し、
信号を送信した前記副照明装置が前記主照明装置に隣接する前記副照明装置である場合には、前記撮像部が画像の撮影を開始するように前記撮像部を制御し、
信号を送信した前記副照明装置が前記主照明装置に隣接しない前記副照明装置である場合には、前記撮像部が画像の撮影を開始しないように前記撮像部を制御する、請求項１に記載の照明装置システム。
【請求項３】
複数の前記副照明装置を備え、
前記主照明装置は、時間を計測する第１の計時部を含み、
前記制御部は、
前記第１の照明通信部が前記第２の照明通信部から送信された信号を受信したときに、前記第１の計時部が時間の計測を開始するように制御し、前記第１の計時部が所定の時間を計測したときに前記撮像部が画像の撮影を開始するように前記撮像部を制御する、請求項１に記載の照明装置システム。
【請求項４】
前記主照明装置は、前記主照明装置の周辺に人がいることを検知するための主検知部と、時間を計測する第２の計時部とを含み、
前記制御部は、
前記第１の照明通信部が前記第２の照明通信部から送信された信号を受信したときに、前記第２の計時部が時間の計測を開始するように制御し、
前記第２の計時部が所定の時間を計測するまでの間に前記主検知部によって人が検知されていない場合には、前記撮像部が画像の撮影を終了するように前記撮像部を制御し、
前記第２の計時部が時間の計測を開始してから所定の時間を計測するまでの間に前記画像保存部が保存した画像を消去する、請求項１から請求項３までのいずれか１項に記載の照明装置システム。
【請求項５】
当該照明装置システムを管理するための管理部を備え、
前記主照明装置は、前記管理部と情報の送受信を行なうための管理通信部を含み、
前記副照明装置は、前記副照明装置の周辺の画像を撮影するための副撮像部と、前記副撮像部で撮影された画像を保存する副画像保存部とを含み、
前記第２の照明通信部は、前記副画像保存部に保存される画像を前記第１の照明通信部に送信し、
前記管理通信部は、前記画像保存部に保存される画像を前記管理部に送信し、前記第１の照明通信部が前記第２の照明通信部から受信した画像を前記管理部に送信するように構成されている、請求項１から請求項４までのいずれか１項に記載の照明装置システム。
【請求項６】
前記制御部は、
前記主照明装置の前記太陽電池の出力電圧が所定の電圧よりも高い場合に、前記画像保存部に保存される画像を前記管理通信部が前記管理部に送信し、かつ、
前記第１の照明通信部が前記第２の照明通信部から受信した画像を前記管理通信部が前記管理部に送信するように、前記管理通信部を制御する、請求項５に記載の照明装置システム。
【請求項７】
前記制御部は、前記副照明装置の前記太陽電池の出力電圧が所定の電圧よりも高い場合に、前記副画像保存部に保存される画像を前記第２の照明通信部が前記第１の照明通信部に送信するように、前記第１の照明通信部と前記第２の照明通信部とを制御する、請求項５または請求項６に記載の照明装置システム。
【発明の詳細な説明】
【技術分野】
【０００１】
この発明は、一般的には照明装置システムに関し、特定的には、昼間に太陽電池で発電された電力を蓄電池に充電すると共に、太陽電池および蓄電池の電力を使用して照明装置の設置場所周辺の照明および映像監視を行う照明装置システムに関する。
【背景技術】
【０００２】
公園や住宅街の広場などのコミュニティエリアは、近隣住民の交流や憩いの場として、大いに活用されている。また、生活習慣の変化により、夕暮れから夜間にかけての利用者も増加している。その反面、凶悪な犯罪や事故の発生現場となる危険性も高まっており、その対策が早急に求められている。
【０００３】
このため、街路灯や常夜灯に監視カメラを設置することにより、犯罪の抑止を図り、利用者の安心感を向上できるシステムが注目されている。
【０００４】
例えば、特開２００８−９８８５４号公報（特許文献１）では、商用交流電源を使用する代わりに太陽電池を搭載し、昼間に太陽電池で蓄電池を充電しておくことによって、外部からの電源配線が不要になり、地中配線が難しい所にも設置できる映像監視システムが提案されている。この映像監視システムでは、監視センターに映像信号を送信するための無線通信機を各屋外監視装置（太陽電池照明装置）に備えている。
【先行技術文献】
【特許文献】
【０００５】
【特許文献１】特開２００８−９８８５４号公報
【発明の概要】
【発明が解決しようとする課題】
【０００６】
太陽電池または太陽電池で充電された蓄電池で動作するシステムの場合、監視カメラ機能で消費される電力を極力低減することが求められる。また、監視カメラで撮影された画像を保存するために使用できる画像メモリの容量に制限があるため、人物の映っていない不要な画像データを保存しないことが望ましい。
【０００７】
消費電力を低減したり、画像メモリを効率よく使用したりするためには、２４時間連続で監視カメラの画像を記録する代わりに、照明装置の周辺に人がいるかどうかを判別するために人感センサを設置し、人体を検知した場合だけ、照明装置周辺の画像を撮影して記録する方式が考えられる。
【０００８】
しかしながら、人感センサによって人が検知された後に録画を開始すると、対象者、すなわち、人感センサが検知した人物が映っている時間が短くなる。また、人感センサの検知前の画像が犯罪や事故の捜査に必要な場合には、肝心な画像が録画できていないという問題点がある。
【０００９】
特開２００８−９８８５４号公報（特許文献１）に記載の映像監視システムでは、監視センターを太陽電池照明装置の近くに設置できる場合はよいが、１つの監視センターで広範囲に設置された複数の太陽電池照明装置を管理する場合や、複数の地域を１つの監視センターで管理する場合は、太陽電池照明装置と監視センター間の距離が遠くなる。太陽電池照明装置と監視センターとの距離によっては長距離伝送が可能な無線通信機が必要となり、コストが増加するという問題点がある。さらに、監視センターはすべての太陽電池照明装置を管理・制御する必要があるため、作業が煩雑になるという問題点がある。
【００１０】
そこで、本発明の目的は、照明装置の周辺の人の画像を、効率よく撮影して保存し、かつ、必要な画像の撮影の漏れを少なくすることが可能な照明装置システムを提供することである。
【課題を解決するための手段】
【００１１】
この発明に従った照明装置システムは、主照明装置と副照明装置とを備える。主照明装置と副照明装置とは、それぞれ、太陽電池と、太陽電池によって発電された電力によって充電される蓄電池と、蓄電池から供給される電力によって点灯される照明部とを含む。
【００１２】
主照明装置は、主照明装置の周辺の画像を撮影するための撮像部と、撮像部で撮影された画像を保存する画像保存部と、副照明装置と通信するための第１の照明通信部と、撮像部を制御する制御部とを含む。
【００１３】
副照明装置は、副照明装置の周辺に人がいることを検知するための副検知部と、主照明装置と通信するための第２の照明通信部とを含む。
【００１４】
第１の照明通信部と第２の照明通信部とは、互いに信号の送受信を行なうことが可能であるように構成される。副照明装置は、副検知部が人を検知した場合に、第２の照明通信部を通して第１の照明通信部に信号を送信する。主照明装置の制御部は、第１の照明通信部が第２の照明通信部から送信された信号を受信した場合に、撮像部が画像の撮影を行なうように撮像部を制御する。
【００１５】
このように、この発明に従った照明装置システムでは、副照明装置の周辺に人がいると、副照明装置の副検知部が人を検知する。副検知部が人を検知した場合には、第２の照明通信部を通して、主照明装置の第１の照明通信部に信号が送信される。第２の照明通信部から送信された信号を主照明装置の第１の照明通信部が受信すると、主照明装置の撮像部が画像の撮影を行なう。撮像部によって撮影された画像は、画像保存部に保存される。
【００１６】
このように、主照明装置では、副照明装置が周辺の人を検知したときに主照明装置の周辺の画像の撮影を行なう。したがって、主照明装置の周辺に人がいるかどうかに関わらず常に撮影を行なう場合と比較して、人の写っていない不要な画像を画像保存部に保存することが少なくなる。一方、主照明装置の周辺に人がいることが検知されたときに主照明装置の周辺の画像を撮影する場合と比較して、主照明装置の周辺に人が近付く前に主照明装置の周辺を撮影し、撮影された画像を保存することができるので、必要な画像を撮影することができなくなることを防ぐことができる。
【００１７】
主照明装置と副照明装置とは、第１の照明通信部と第２の照明通信部とにおいて互いに信号の送受信を行なうので、特開２００８−９８８５４号公報（特許文献１）に記載されているような監視センター等と主照明装置と副照明装置とが通信するための長距離伝送が可能な無線通信機などを備える必要がない。このようにして、照明装置システム全体のコストを低減することができる。また、監視センター等との通信を行なう場合と比較して、蓄電池の消耗を抑えることができる。さらに、主照明装置で撮影を行なうときに、監視センター等からの指示を待つ必要がないので、必要な画像の撮影漏れを低減することができる。
【００１８】
また、主照明装置と副照明装置においては、日照時間中は太陽電池によって発電され、蓄電池が充電される。照明部は、蓄電池から供給される電力によって点灯される。このようにして、外部から電力の供給がなくても照明を行なうことが可能である。
【００１９】
このようにすることにより、照明装置の周辺の人の画像を、効率よく撮影して保存し、かつ、必要な画像の撮影の漏れを少なくすることが可能な照明装置システムを提供することができる。
【００２０】
この発明に従った照明装置システムは、複数の副照明装置を備えることが好ましい。制御部は、第１の照明通信部が第２の照明通信部から送信された信号を受信したときに、信号を送信した第２の照明通信部を有する副照明装置が主照明装置に隣接する副照明装置であるかどうかを判断する。信号を送信した副照明装置が主照明装置に隣接する副照明装置である場合には、撮像部が画像の撮影を開始するように撮像部を制御する。信号を送信した副照明装置が主照明装置に隣接しない副照明装置である場合には、撮像部が画像の撮影を開始しないように撮像部を制御する。
【００２１】
このようにすることにより、主照明装置は、隣接する副照明装置の副検知部によって人が検知された場合に、撮像部で撮影を開始する。一方、主照明装置に隣接しない副照明装置の副検知部によって人が検知されても、撮影を開始しない。
【００２２】
このようにして、主照明装置の周辺に人がいないときに撮像部が画像を撮影することを防ぎ、人の写っていない不要な画像が画像保存部に保存されることを防ぐことができる。
【００２３】
この発明に従った照明装置システムは、複数の副照明装置を備えることが好ましい。主照明装置は、時間を計測する第１の計時部を含むことが好ましい。制御部は、第１の照明通信部が第２の照明通信部から送信された信号を受信したときに、第１の計時部が時間の計測を開始するように制御し、第１の計時部が所定の時間を計測したときに撮像部が画像の撮影を開始するように撮像部を制御する。
【００２４】
このようにすることにより、主照明装置は、副照明装置の副検知部によって人が検知されてから、所定の時間を第１の計時部が計測したときに、撮像部で画像の撮影を開始する。
【００２５】
副照明装置の副検知部によって人が検知されてから、その人が主照明装置の撮像部の撮影可能範囲に入るまでの間には時間がかかる。この間は、主照明装置の撮像部が周囲の画像を撮影しても、人が写らない。そこで、副照明装置の副検知部によって人が検知されてから、所定の時間を第１の計時部が計測したときに、撮像部で画像の撮影を開始することによって、人の写っていない不要な画像が画像保存部に保存されることを防ぐことができる。
【００２６】
なお、第１の計時部が時間の計測を開始してから撮像部が画像の撮影を開始するまでの所定の時間は、主照明装置と副照明装置との間の距離等に基づいて、適切に設定されればよい。
【００２７】
この発明に従った照明装置システムにおいては、主照明装置は、主照明装置の周辺に人がいることを検知するための主検知部と、時間を計測する第２の計時部とを含むことが好ましい。制御部は、第１の照明通信部が第２の照明通信部から送信された信号を受信したときに、第２の計時部が時間の計測を開始するように制御することが好ましい。第２の計時部が所定の時間を計測するまでの間に主検知部によって人が検知されていない場合には、撮像部が画像の撮影を終了するように撮像部を制御することが好ましい。第２の計時部が時間の計測を開始してから所定の時間を計測するまでの間に画像保存部が保存した画像を消去することが好ましい。
【００２８】
このようにすることにより、副照明装置の副検知部が人を検知してから所定の時間の間、主照明装置の主検知部が人を検知しない場合には、主照明装置は、画像の撮影を終了する。また、第２の計時部が時間の計測を開始してから、画像の撮影を終了するまでの間に画像保存部が保存した画像を消去する。
【００２９】
副照明装置の副検知部が人を検知してから所定の時間の間、主照明装置の主検知部が人を検知しない場合、副照明装置の周辺にいた人は、主照明装置に向かって移動していないと考えられる。
【００３０】
そこで、副照明装置の副検知部が人を検知してから所定の時間の間、主照明装置の主検知部が人を検知しない場合には、主照明装置は、画像の撮影を終了し、所定の時間の間に画像保存部が保存した画像を消去することによって、人の写っていない不要な画像が画像保存部に保存されることを防ぐことができる。また、撮影を継続することによって生じる消費電力を削減することができる。
【００３１】
なお、第２の計時部が時間の計測を開始してから撮像部が画像の撮影を終了するまでの所定の時間は、主照明装置と副照明装置との間の距離等に基づいて、適切に設定されればよい。
【００３２】
この発明に従った照明装置システムは、当該照明装置システムを管理するための管理部を備えることが好ましい。主照明装置は、管理部と情報の送受信を行なうための管理通信部を含むことが好ましい。副照明装置は、副照明装置の周辺の画像を撮影するための副撮像部と、副撮像部で撮影された画像を保存する副画像保存部とを含むことが好ましい。第２の照明通信部は、副画像保存部に保存される画像を第１の照明通信部に送信することが好ましい。管理通信部は、画像保存部に保存される画像を管理部に送信し、第１の照明通信部が第２の照明通信部から受信した画像を管理部に送信するように構成されていることが好ましい。
【００３３】
このように、副照明装置の副撮像部で撮影された画像は、副画像保存部に保存される。副照明装置の副画像保存部に保存される画像は、第２の照明通信部から第１の照明通信部に送信される。第１の照明通信部が第２の照明通信部から受信した画像は、主照明装置の画像保存部に保存されている画像とともに、管理通信部によって管理部に送信される。すなわち、副照明装置の副撮像部が撮影した画像は、副照明装置から直接、管理部に送信されるのではなく、一旦、主照明装置を経由して管理部に送信される。したがって、副照明装置と管理部との間で長距離伝送を行なうための無線通信機などを必要とすることなく、副照明装置の副撮像部が撮影した画像を管理部に送信することができる。
【００３４】
このようにすることにより、主照明装置と副照明装置のそれぞれが別々に管理部に画像等を送信する場合と比較して、照明装置システム全体のコストを低減することができる。
【００３５】
この発明に従った照明装置システムにおいては、制御部は、主照明装置の太陽電池の出力電圧が所定の電圧よりも高い場合に、画像保存部に保存される画像を管理通信部が管理部に送信し、かつ、第１の照明通信部が第２の照明通信部から受信した画像を管理通信部が管理部に送信するように、管理通信部を制御することが好ましい。
【００３６】
このように、主照明装置の太陽電池の出力電圧が所定の電圧よりも高い場合に、主照明装置の管理通信部と管理部との通信を行なうことによって、主照明装置の蓄電池の消耗を抑えることができる。
【００３７】
この発明に従った照明装置システムにおいては、制御部は、副照明装置の太陽電池の出力電圧が所定の電圧よりも高い場合に、前記副画像保存部に保存される画像を第２の照明通信部が第１の照明通信部に送信するように、第１の照明通信部と第２の照明通信部とを制御することが好ましい。
【００３８】
このように、副照明装置の太陽電池の出力電圧が所定の電圧よりも高い場合に、副照明装置の第２の照明通信部と主照明通信部の第１の照明通信部とが通信を行なうことによって、副照明通信部の蓄電池の消耗を抑えることができる。
【発明の効果】
【００３９】
以上のように、この発明によれば、照明装置の周辺の人の画像を、効率よく撮影して保存し、かつ、必要な画像の撮影の漏れを少なくすることが可能な照明装置システムを提供することができる。
【図面の簡単な説明】
【００４０】
【図１】この発明の第１実施形態として、太陽電池照明装置システムの全体の構成を模式的に示す図である。
【図２】本発明の第１実施形態の太陽電池照明装置システムの概略的な構成を示すブロック図である。
【図３】第１実施形態の太陽電池照明装置システムの１つの太陽電池照明装置における制御処理を順に示すフローチャートである。
【図４】第２実施形態の太陽電池照明装置システムの概略的な構成を示すブロック図である。
【図５】第２実施形態の太陽電池照明装置システムのうちの１つの太陽電池照明装置における制御処理を順に示すフローチャートである。
【図６】第３実施形態の太陽電池照明装置システムの概略的な構成を示すブロック図である。
【図７】第３実施形態の太陽電池照明装置システムのうちの１つの太陽電池照明装置における制御処理を順に示すフローチャートである。
【図８】この発明の第４実施形態として、太陽電池照明装置システムの全体の構成を模式的に示す図である。
【図９】第４実施形態の太陽電池照明装置システムの概略的な構成を示すブロック図である。
【図１０】第５実施形態の太陽電池照明装置システムを構成する、１つの太陽電池照明装置における制御処理を順に示すフローチャートである。
【発明を実施するための形態】
【００４１】
以下、この発明の実施の形態を図面に基づいて説明する。なお、以下の説明では、同一の部材、または、相当する部材には同一の符号を付している。同一の符号が付された部材の名称および機能は同様であるので、それらの詳細な説明は繰り返さない。
【００４２】
（第１実施形態）
図１は、この発明の第１実施形態として、太陽電池照明装置システムの全体の構成を模式的に示す図である。
【００４３】
図１に示すように、公園や住宅街の広場などのコミュニティエリアにおいて、夜間に利用者が歩行している周囲の状況、例えば歩道の形状や段差、あるいは、対向者の存在や移動方向などを判断するのに必要な明るさが確保できるように、複数台の太陽電池照明装置１０，１１，１２，１３，…，１ｎが配置されている。複数台の太陽電池照明装置１０，１１，１２，１３，…，１ｎは、太陽電池照明装置システム１を構成している。複数の太陽電池照明装置１０，１１，１２，１３，…，１ｎは、互いに適切な間隔をあけて配置されている。太陽電池照明装置１０，１１，１２，１３，…，１ｎの間隔は、例えば、数十ｍ程度である。
【００４４】
この実施形態においては、太陽電池照明装置１０を主照明装置、太陽電池照明装置１１，１２，１３，…，１ｎを副照明装置として説明する。この実施形態においては、副照明装置はｎ個、設置されている。以下、副照明装置のうちの任意の一つを、太陽電池照明装置１ｋ（ｋ＝１，２，…，ｎ）と表す。
【００４５】
太陽電池照明装置１０においては、太陽電池１０１、照明部１０５、撮像部１０９、照明通信部１１２が、太陽電池照明装置１０の支柱１００に取り付けられている。太陽電池１０１は、太陽電池照明装置１０の上部に配置されている。照明部１０５は、太陽電池照明装置１０の周辺を歩行する歩行者等を照明するように、発光部を下方に向けて配置されている。撮像部１０９は、太陽電池照明装置１０の周辺を歩行する歩行者等を撮影するように、下方を向けて支柱１００に取り付けられている。照明通信部１１２は、支柱１００の上部に取り付けられている。照明通信部１１２は、第１の照明通信部の一例である。
【００４６】
太陽電池照明装置１ｋにおいては、太陽電池１０１ｋ、照明部１０５ｋ、撮像部１０９ｋ、照明通信部１１２ｋが、太陽電池照明装置１ｋの支柱１００ｋに取り付けられている。太陽電池１０１ｋは、太陽電池照明装置１ｋの上部に配置されている。照明部１０５ｋは、太陽電池照明装置１ｋの周辺を歩行する歩行者等を照明するように、発光部を下方に向けて配置されている。撮像部１０９ｋは、太陽電池照明装置１ｋの周辺を歩行する歩行者等を撮影するように、下方を向けて支柱１００ｋに取り付けられている。照明通信部１１２ｋは、支柱１００ｋの上部に取り付けられている。太陽電池照明装置１ｋの照明通信部１１２ｋは、第２の照明通信部の一例である。
【００４７】
副照明装置の一つである太陽電池照明装置１１は、主照明装置である太陽電池照明装置１０に隣接する副照明装置であるとする。主照明装置に隣接する副照明装置は、複数あってもよい。
【００４８】
図２は、本発明の第１実施形態の太陽電池照明装置システムの概略的な構成を示すブロック図である。図２では、太陽電池照明装置システムを構成する太陽電池照明装置の例として、図１に示す太陽電池照明装置１０と太陽電池照明装置１ｋのみを示している。太陽電池照明装置１０と太陽電池照明装置１ｋは、同様に構成されているので、以下には太陽電池照明装置１０を例にして太陽電池照明装置の構成を説明する。
【００４９】
図２に示すように、太陽電池照明装置１０は、主に、太陽電池照明部１２０と撮影記録部１３０とから構成されている。太陽電池照明部１２０は、太陽電池１０１と、電源切替部１０２と、蓄電池１０３と、照明電源部１０４と、照明部１０５と、ＤＣ−ＤＣコンバータ１０６とから構成される。撮影記録部１３０は、人検知部１０７と、制御部１０８と、撮像部１０９と、画像保存部として画像蓄積部１１０と、第１識別番号記憶部１１１と、照明通信部１１２とから構成される。
【００５０】
太陽電池１０１と、蓄電池１０３と、照明電源部１０４と、ＤＣ−ＤＣコンバータ１０６は、電源切替部１０２に接続されている。照明電源部１０４は、照明部１０５に接続されている。
【００５１】
ＤＣ−ＤＣコンバータ１０６は、撮影記録部１３０の人検知部１０７、制御部１０８、撮像部１０９、画像蓄積部１１０、第１識別番号記憶部１１１および照明通信部１１２に接続されている。
【００５２】
昼間、太陽電池１０１で発電される電力は、電源切替部１０２を経由して、蓄電池１０３を充電する。このとき、電源切替部１０２は照明電源部１０４に電力を供給しない。
【００５３】
日没になって太陽電池１０１の出力電圧が基準電圧より低くなると、電源切替部１０２は、その出力電圧の低下を検知して、蓄電池１０３に蓄積された電力を、照明電源部１０４に供給する。照明電源部１０４は、電源切替部１０２から供給される電力を、照明部１０５を駆動するのに適した形態に変換する。照明部１０５には、低消費電力化および長寿命化が図れるＬＥＤ（発光ダイオード）照明の使用が望ましいが、これに限定されず、蛍光灯など他の照明を用いてもよい。
【００５４】
なお、照明部１０５を点灯させるかどうかの判断は、太陽電池１０１の出力電圧の低下だけでなく、例えば電源切替部１０２に時計機能を内蔵させ、時間が昼間であるか、夜間であるかを判定条件に追加することで行ってもよい。また、照度センサ（図示せず）で検知した明るさを判定条件に加えてもよい。
【００５５】
電源切替部１０２は、照明電源部１０４以外に、ＤＣ−ＤＣコンバータ１０６にも電力を供給する。ＤＣ−ＤＣコンバータ１０６は、電源切替部１０２から供給される電力、すなわち、昼間は太陽電池１０１で発電される電力を、また、夜間は蓄電池１０３に蓄積された電力を、人検知部１０７、制御部１０８、撮像部１０９、画像蓄積部１１０、第１識別番号記憶部１１１および照明通信部１１２を駆動するのに適した形態に変換する。
【００５６】
人検知部１０７は、太陽電池照明装置１０の周辺に人がいるかどうかを検知する手段である。人検知部１０７は、例えば、焦電型センサ等を使用することができる。人検知部１０７で人体を検知した場合、制御部１０８は、撮像部１０９に太陽電池照明装置１０の周辺の画像撮影を開始させる。また、制御部１０８は、撮像部１０９で撮影した画像を画像蓄積部１１０に保存させる。さらに、制御部１０８は、人体を検知したことを通知する通知信号を、制御部１０８内のメモリに記録されている太陽電池照明装置１０の識別番号とともに、照明通信部１１２から送信させる。
【００５７】
撮像部１０９の撮像素子には、高感度・低ノイズ化が容易なＣＣＤセンサ、あるいは、低消費電力・小型化の容易なＣＭＯＳセンサの使用が望ましい。また、撮影時のフレームレート、電子シャッター速度、ＡＧＣ（Automatic Gain Control）アンプのゲイン等の撮影条件は、制御部１０８で制御される。
【００５８】
画像蓄積部１１０において、画像データの蓄積には、例えば、フラッシュメモリ、ハードディスク等が使用される。画像蓄積部１１０に保存、蓄積された画像データは、制御部１０８からの指示によって、照明通信部１１２を経由して、外部に送信される。また、メモリーカード等の取外し可能な記憶媒体を使用して、管理者が直接回収する方式を採用してもよい。
【００５９】
太陽電池照明装置１０は外部からの電源配線が不要であることが特長であるから、照明通信部１１２で使用する通信方式でも、無線方式を採用することが望ましい。照明通信部１１２は、他の太陽電池照明装置１ｋと通信する必要があるが、太陽電池照明装置相互の距離は近いので、数Ｋｍ以上の長距離を無線伝送する場合に比べて送信電力を抑えられ、低消費電力化が可能である。照明通信部１１２によって通知信号以外に画像データを相互に送受信するのであれば、例えば、ＩＥＥＥ８０２．１１ａ／ｂ／ｇ等の無線方式を採用してもよい。また、照明通信部１１２では通知信号だけ、あるいは、画像データのサイズやフレームレートを低減して送受信するのであれば、例えば、Zigbee（登録商標）やBluetooth（登録商標）等の無線方式を採用してもよい。
【００６０】
第１識別番号記憶部１１１には、主照明装置である太陽電池照明装置１０に隣接する副照明装置である太陽電池照明装置１１の識別番号が記憶されている。この実施形態においては、太陽電池照明装置１０の第１識別番号記憶部１１１には、隣接する太陽電池照明装置として太陽電池照明装置１１の識別番号が記憶されているものとする。
【００６１】
太陽電池照明装置１０に隣接する副照明装置である太陽電池照明装置１１の人検知部１０７１は、副検知部の一例である。
【００６２】
太陽電池照明装置１１の人検知部１０７１は、周辺に人がいることを検知して、制御部１０８１に信号を送信する。制御部１０８１は、照明通信部１１２１を通して、太陽電池照明装置１０の照明通信部１１２に信号を送信する。このとき、制御部１０８１は、第１識別番号記憶部１１１１から太陽電池照明装置１１の識別番号を読み出して、人検知部１０７１の信号とともに照明通信部１１２１を通して照明通信部１１２に送信する。
【００６３】
他の太陽電池照明装置１ｋにおいても同様に、人検知部１０７ｋは、周辺に人がいることを検知して、制御部１０８ｋに信号を送信する。制御部１０８ｋは、照明通信部１１２ｋを通して、太陽電池照明装置１０の照明通信部１１２に信号を送信する。このとき、制御部１０８ｋは、第１識別番号記憶部１１１ｋから太陽電池照明装置１ｋの識別番号を読み出して、人検知部１０７ｋの信号とともに照明通信部１１２ｋを通して太陽電池照明装置１０の照明通信部１１２に送信する。
【００６４】
以上のように構成される太陽電池照明装置システム１の動作について説明する。
【００６５】
図３は、第１実施形態の太陽電池照明装置システムの１つの太陽電池照明装置における制御処理を順に示すフローチャートである。以下の各行程において、所定の判断を行なう主体は太陽電池照明装置１０の制御部１０８（図２）である。
【００６６】
図３に示すように、まず、ステップＳ１０１にて、制御部１０８は、太陽電池照明装置システム１が画像の監視状態に設定されているかどうか調べる。太陽電池照明装置システム１が画像の監視状態に設定されていない場合には、処理を終了する。太陽電池照明装置システム１が画像の監視状態に設定されている場合には、ステップＳ１０２に進む。なお、監視状態の設定は、時刻や日時、あるいは、照明の点灯状態等によってＯＮ／ＯＦＦされるようにしてもよいし、照明通信部１１２を経由して、外部から設定できるようにしてもよい。
【００６７】
ステップＳ１０２では、太陽電池照明装置１０の人検知部１０７が人体を検知しているかどうかを確認する。人検知部１０７が人体を検知していれば、ステップＳ１１１に進む。人検知部１０７が人体を検知していなければ、ステップＳ１０３に進む。
【００６８】
ステップＳ１０３では、太陽電池照明装置１０の照明通信部１１２が他の太陽電池照明装置１ｋから人体を検知したことを通知する通知信号を受信していないかどうかを確認する。照明通信部１１２が他の太陽電池照明装置１ｋから人体を検知したことを通知する通知信号を受信していなければ、ステップＳ１０１に戻る。照明通信部１１２が他の太陽電池照明装置１ｋから人体を検知したことを通知する通知信号を受信していれば、ステップＳ１０４に進む。
【００６９】
ステップＳ１０４では、太陽電池照明装置１０の照明通信部１１２に通知信号を送信した太陽電池照明装置１ｋの識別番号が、第１識別番号記憶部１１１に予め登録されている識別番号と一致するかどうかを確認する。すなわち、太陽電池照明装置１０に通知信号を送信した太陽電池照明装置１ｋが、太陽電池照明装置１０に隣接する太陽電池照明装置１１であるかどうかを確認する。
【００７０】
通知信号を送信した太陽電池照明装置１ｋの識別番号が、第１識別番号記憶部１１１に予め登録されている識別番号と一致しなければ、制御部１０８は、通知信号を送信した太陽電池照明装置１ｋは太陽電池照明装置１０に隣接して設置された太陽電池照明装置１１ではないと判断して、画像の撮影を行なわずに、ステップＳ１０１に戻る。通知信号を送信した太陽電池照明装置１ｋの識別番号が、第１識別番号記憶部１１１に予め登録されている識別番号と一致すれば、制御部１０８は、通知信号を送信した太陽電池照明装置１ｋは太陽電池照明装置１０に隣接して設置された太陽電池照明装置１１であると判断して、ステップＳ１２１に移行する。
【００７１】
一方、ステップＳ１０２において、太陽電池照明装置１０の人検知部１０７が人を検知したことが確認されれば、ステップＳ１１１では、制御部１０８は、撮像部１０９が太陽電池照明装置１０の周辺の画像撮影を開始するように制御する。ステップＳ１１２では、照明通信部１１２を通して、周辺に設置された他の太陽電池照明装置１ｋに、太陽電池照明装置１０の人検知部１０７が人体を検知したことを通知する通知信号を送信させる。なお、フローチャートには図示していないが、撮像部１０９で撮影された画像は、画像蓄積部１１０に保存される。
【００７２】
撮像部１０９が太陽電池照明装置１０の周辺の画像撮影を開始した後、ステップＳ１１３で、制御部１０８は、人検知部１０７で人体を継続して検知中かどうかを確認する。そして、人検知部１０７で人体を継続して検知中であれば、ステップＳ１１３に戻り、人体の検知が終了するまでステップＳ１１３の処理を繰り返す。人検知部１０７で人体を検知していなければ、ステップＳ１１４に進み、撮像部１０９での画像撮影を終了させる。なお、撮像開始後は、画像蓄積部１１０に蓄積された画像を画像処理して人体の動きを検知する方式を併用することで、人体検知の精度を向上させるようにしてもよい。
【００７３】
ステップＳ１１４で撮影終了後、ステップＳ１０１に戻る。なお、フローチャートには図示していないが、撮像部１０９で撮影が終了すると、画像蓄積部１１０での画像データの保存作業も停止させる。
【００７４】
一方、ステップＳ１２１では、制御部１０８は、減算カウンタに撮影量を設定する。撮影量としては、例えば、撮影時間、撮影フレーム数等が使用される。次に、ステップＳ１２２にて、制御部１０８は、撮像部１０９で太陽電池照明装置周辺の画像撮影を開始させる。なお、フローチャートには図示していないが、撮像部１０９で撮影された画像の撮影量に応じて、減算カウンタの値は自動的に減少していき、零になると減算を停止する。
【００７５】
ステップＳ１２３では、制御部１０８は、人検知部１０７が人体を検知しているかどうかを確認する。人検知部１０７が人体を検知していれば、ステップＳ１１２に移行する。人検知部１０７が人体を検知していなければ、ステップＳ１２４に進む。
【００７６】
ステップＳ１２４では、制御部１０８は、減算カウンタの値が零になったかどうかを確認する。減算カウンタの値が零でなければ、ステップＳ１２３に戻る。減算カウンタの値が零であれば、予め設定した撮影量の画像データを画像蓄積部１１０に保存したので、ステップＳ１２５に進み、撮像部１０９での画像撮影を終了させる。そして、ステップＳ１０１に戻る。
【００７７】
以上のように、第１実施形態における太陽電池照明装置システム１によると、太陽電池照明装置１０の人検知部１０７で人体を検知した場合、撮像部１０９で太陽電池照明装置１０の周辺の画像を撮影すると共に、照明通信部１１２を通して、太陽電池照明装置システム１を構成する他の太陽電池照明装置１ｋに人体を検知したことを通知する通知信号を送信する。一方、太陽電池照明装置１０の照明通信部１１２が、隣接して設置された太陽電池照明装置１１から通知信号を受信した場合、太陽電池照明装置１０の人検知部１０７で人体を検知しなくても、撮像部１０９が画像の撮影を開始する。このようにして、常時画像を撮影する方式に比べて低消費電力化を図ることができるとともに、太陽電池照明装置１０の人検知部１０７で人体が検知される前に画像の録画を開始することができる。
【００７８】
なお、上述の説明では、太陽電池照明装置１０の人検知部１０７で人体を検知した場合、ステップＳ１１３にて、人体を検知しなくなるまで、撮像部１０９での画像撮影を継続するようにした。しかし、人検知部１０７で人体を検知した場合にも、隣接する太陽電池照明装置１１の人検知部１０７１で人を検知した場合と同様に減算カウンタを使用して、予め設定した撮影量の画像データだけを保存する方式を採用してもよい。
【００７９】
以上のように、第１実施形態の太陽電池照明装置システム１は、太陽電池照明装置１０と太陽電池照明装置１１とを備える。太陽電池照明装置１０と太陽電池照明装置１１とは、それぞれ、太陽電池１０１，１０１１と、太陽電池１０１，１０１１によって発電された電力によって充電される蓄電池１０３，１０３１と、蓄電池１０３，１０３１から供給される電力によって点灯される照明部１０５，１０５１とを含む。
【００８０】
太陽電池照明装置１０は、太陽電池照明装置１０の周辺の画像を撮影するための撮像部１０９と、撮像部１０９で撮影された画像を保存する画像蓄積部１１０と、太陽電池照明装置１１と通信するための照明通信部１１２と、撮像部１０９を制御する制御部１０８とを含む。
【００８１】
太陽電池照明装置１１は、太陽電池照明装置１１の周辺に人がいることを検知するための人検知部１０７１と、太陽電池照明装置１０と通信するための照明通信部１１２１とを含む。
【００８２】
照明通信部１１２と照明通信部１１２１とは、互いに信号の送受信を行なうことが可能であるように構成される。太陽電池照明装置１１は、人検知部１０７１が人を検知した場合に、太陽電池照明装置１１の照明通信部１１２１を通して照明通信部１１２に信号を送信する。太陽電池照明装置１０の制御部１０８は、照明通信部１１２が太陽電池照明装置１１の照明通信部１１２１から送信された信号を受信した場合に、撮像部１０９が画像の撮影を行なうように撮像部１０９を制御する。
【００８３】
このように、太陽電池照明装置システム１では、太陽電池照明装置１１の周辺に人がいると、太陽電池照明装置１１の人検知部１０７１が人を検知する。人検知部１０７１が人を検知した場合には、太陽電池照明装置１１の照明通信部１１２１を通して、太陽電池照明装置１０の照明通信部１１２に信号が送信される。照明通信部１１２１から送信された信号を太陽電池照明装置１０の照明通信部１１２が受信すると、太陽電池照明装置１０の撮像部１０９が画像の撮影を行なう。撮像部１０９によって撮影された画像は、画像蓄積部１１０に保存される。
【００８４】
このように、太陽電池照明装置１０では、太陽電池照明装置１１が周辺の人を検知したときに太陽電池照明装置１０の周辺の画像の撮影を行なう。したがって、周辺に人がいるかどうかに関わらず常に撮影を行なう場合と比較して、人の写っていない不要な画像を画像蓄積部１１０に保存することが少なくなる。一方、太陽電池照明装置１０の周辺に人がいることが検知されたときに太陽電池照明装置１０の周辺の画像を撮影する場合と比較して、太陽電池照明装置１０の周辺に人が近付く前に太陽電池照明装置１０の周辺を撮影し、撮影された画像を保存することができるので、必要な画像を撮影することができなくなることを防ぐことができる。
【００８５】
太陽電池照明装置１０と太陽電池照明装置１１とは、照明通信部１１２と照明通信部１１２１とにおいて互いに信号の送受信を行なうので、太陽電池照明装置システム１の全体を監視する監視センター等と、太陽電池照明装置１０と太陽電池照明装置１１とがそれぞれ通信するための長距離伝送が可能な無線通信機などを備える必要がない。このようにして、太陽電池照明装置システム１の全体のコストを低減することができる。また、監視センター等との通信を行なう場合と比較して、蓄電池１０３，１０３１の消耗を抑えることができる。さらに、太陽電池照明装置１０で撮影を行なうときに、監視センター等からの指示を待つ必要がないので、必要な画像の撮影漏れを低減することができる。
【００８６】
また、太陽電池照明装置１０と太陽電池照明装置１１においては、日照時間中は太陽電池１０１，１０１１によって発電され、蓄電池１０３，１０３１が充電される。照明部１０５，１０５１は、蓄電池１０３，１０３１から供給される電力によって点灯される。このようにして、外部から電力の供給がなくても照明を行なうことが可能である。
【００８７】
このようにすることにより、太陽電池照明装置１０の周辺の人の画像を、効率よく撮影して保存し、かつ、必要な画像の撮影の漏れを少なくすることが可能な太陽電池照明装置システム１を提供することができる。
【００８８】
また、第１実施形態の太陽電池照明装置システム１は、複数の太陽電池照明装置１１，…，１ｋ，…，１ｎを備える。制御部１０８は、太陽電池照明装置１０の照明通信部１１２が、太陽電池照明装置１ｋの照明通信部１１２ｋから送信された信号を受信したときに、信号を送信した照明通信部１１２ｋを有する太陽電池照明装置１ｋが太陽電池照明装置１０に隣接する太陽電池照明装置１１であるかどうかを判断する。信号を送信した太陽電池照明装置１ｋが太陽電池照明装置１０に隣接する太陽電池照明装置１１である場合には、撮像部１０９が画像の撮影を開始するように撮像部１０９を制御する。信号を送信した太陽電池照明装置１ｋが太陽電池照明装置１０に隣接しない太陽電池照明装置１ｋである場合には、撮像部１０９が画像の撮影を開始しないように撮像部１０９を制御する。
【００８９】
このようにすることにより、太陽電池照明装置１０は、隣接する太陽電池照明装置１１の人検知部１０７１によって人が検知された場合に、撮像部１０９で撮影を開始する。一方、太陽電池照明装置１０に隣接しない太陽電池照明装置１ｋの人検知部１０７ｋによって人が検知されても、撮影を開始しない。
【００９０】
このようにして、太陽電池照明装置１０の周辺に人がいないときに撮像部１０９が画像を撮影することを防ぎ、人の写っていない不要な画像が画像蓄積部１１０に保存されることを防ぐことができる。
【００９１】
なお、この実施形態においては、太陽電池照明装置１０を主照明装置として、太陽電池照明装置１ｋを副照明装置として説明したが、太陽電池照明装置１０と太陽電池照明装置１ｋは、同一の構成を有している。また、他の太陽電池照明装置１１，…，１ｋ，…，１ｎにおいても、太陽電池照明装置１０と同様に、図３に示す制御処理が行われる。したがって、太陽電池照明装置１０，１１，１２，…のいずれが主照明装置として用いられてもよいし、いずれが副照明装置として用いられてもよい。
【００９２】
（第２実施形態）
図４は、第２実施形態の太陽電池照明装置システムの概略的な構成を示すブロック図である。
【００９３】
図４に示すように、太陽電池照明装置２０は、図２に示される太陽電池照明装置１０の構成に加えて、さらに、第１の計時部として第１タイマー部１１３を備える。太陽電池照明装置２０のその他の構成は、太陽電池照明装置１０と同様である。
【００９４】
第２実施形態においても、太陽電池照明装置システム２は、主照明装置として太陽電池照明装置２０と、副照明装置として複数の太陽電池照明装置を備える。図４では、太陽電池照明装置システム２を構成する太陽電池照明装置の例として、主照明装置として太陽電池照明装置２０と、副照明装置の一つとして太陽電池照明装置２ｋのみを示している。この実施形態においては、副照明装置はｎ個、設置されている。以下、副照明装置のうちの任意の一つを、太陽電池照明装置２ｋ（ｋ＝１，２，…，ｎ）と表す。太陽電池照明装置２０を主照明装置、太陽電池照明装置２ｋを副照明装置として説明する。
【００９５】
副照明装置の一つである太陽電池照明装置２１は、主照明装置である太陽電池照明装置２０に隣接する副照明装置であるとする。太陽電池照明装置２０の第１識別番号記憶部１１１には、太陽電池照明装置２０に隣接する太陽電池照明装置２１の識別番号が予め記憶されている。
【００９６】
第２実施形態においては、太陽電池照明装置２０を主照明装置として、太陽電池照明装置２ｋを副照明装置として説明するが、太陽電池照明装置２０，２ｋは、同一の構成を有している。したがって、太陽電池照明装置２０と太陽電池照明装置２ｋのいずれが主照明装置として用いられてもよいし、いずれが副照明装置として用いられてもよい。
【００９７】
第１タイマー部１１３は、太陽電池照明装置２０の照明通信部１１２で、隣接して設置された太陽電池照明装置２１から人体を検知したことを通知する通知信号を受信したときに、制御部１０８からの指示で起動する。
【００９８】
太陽電池照明装置２ｋの人検知部１０７ｋが人体を検知すると、人体を検知したことを通知する通知信号が、太陽電池照明装置２０と、他の太陽電池照明装置に送信される。この通知信号は一瞬の内に対象となる太陽電池照明装置で受信される。一方、検知の対象となった人は、この人を検知した人検知部１０７ｋを備える太陽電池照明装置２ｋから太陽電池照明装置２０のところまで移動するために、ある程度の時間が必要になる。そのため、太陽電池照明装置２ｋから通知信号を受信した太陽電池照明装置２０が直ちに撮影を開始すると、撮影の対象となる人が太陽電池照明装置２０の撮影可能範囲に到着するまで、撮影の対象者が映っていない画像を画像蓄積部１１０に保存し続けることになる。
【００９９】
このことを考慮して、撮影の対象者が、人体の検知を通知した太陽電池照明装置２ｋから太陽電池照明装置２０の撮影可能範囲に到着するまでの時間より短い第１設定時間を所定の時間として、第１タイマー部１１３に設定しておく。第１設定時間は、太陽電池照明装置システム２の設置時あるいは設定変更時に、例えば、照明通信部１１２を経由して、外部から設定しておく。なお、第１設定時間は、隣接して設置されたすべての太陽電池照明装置で共通の値に設定してもよいし、人体の検知を通知した太陽電池照明装置２ｋの識別番号毎に個別に設定してもよい。
【０１００】
図５は、第２実施形態の太陽電池照明装置システムのうちの１つの太陽電池照明装置における制御処理を順に示すフローチャートである。ここでは、図３に示す第１実施形態の太陽電池照明装置と異なる行程について説明する。
【０１０１】
図５に示すように、第２実施形態の太陽電池照明装置システム２の太陽電池照明装置２０では、ステップＳ１０４で、通知信号を送信した太陽電池照明装置２ｋの識別番号が、第１識別番号記憶部１１１に予め登録されている識別番号と一致するかどうかを確認する。通知信号を送信した太陽電池照明装置２ｋの識別番号が、第１識別番号記憶部１１１に予め登録されている識別番号と一致すれば、制御部１０８は、ステップＳ２０１にて第１タイマー部１１３をリセットして、カウントを開始させる。この実施形態においては、第１識別番号記憶部１１１には、太陽電池照明装置２０に隣接する太陽電池照明装置２１の識別番号が記憶されている。したがって、太陽電池照明装置２１の人検知部１０７１によって人が検知された場合に、太陽電池照明装置２０の第１タイマー部１１３がカウントを開始する。
【０１０２】
ステップＳ２０２では、制御部１０８は、太陽電池照明装置２０の人検知部１０７が人体を検知しているかどうかを確認する。太陽電池照明装置２０の人検知部１０７が人体を検知していれば、ステップＳ１１１に進む。太陽電池照明装置２０の人検知部１０７が人体を検知していなければ、制御部１０８は、第１タイマー部１１３が計測する時間が第１設定時間を越えたかどうか調べる。第１タイマー部１１３が計測する時間が第１設定時間を越えていなければ、ステップＳ２０２に戻る。第１タイマー部１１３が計測する時間が第１設定時間を越えていれば、ステップＳ１２１に移行する。
【０１０３】
ステップＳ１２１以降では、第１実施形態と同様に、減算カウンタに撮影量が設定され、撮像部１０９で撮影が行なわれる。
【０１０４】
太陽電池照明装置システム２の太陽電池照明装置２０における他の制御処理は、太陽電池照明装置システム１の太陽電池照明装置１０の制御処理と同様である。
【０１０５】
以上のように、第２実施形態に係る太陽電池照明装置システム２では、第１タイマー部１１３の出力が第１設定時間を越えたときに、太陽電池照明装置２０の撮像部１０９で画像の撮影を開始する。このようにすることにより、撮影の対象者が人体の検知を通知した太陽電池照明装置２１から太陽電池照明装置２０の撮影可能範囲に到着するまでに発生する対象者が映っていない画像期間を第１設定時間だけ短くして、画像蓄積部１１０に蓄積される画像データ量を節約することができる。
【０１０６】
このように、第２実施形態における太陽電池照明装置システム２は、太陽電池照明装置２０の照明通信部１１２で、他の太陽電池照明装置２ｋから人体を検知したことを通知する通知信号を受信してから、予め設定した第１設定時間の経過後に、画像の撮影を開始する機能を有する点で、第１実施形態の太陽電池照明装置システム１と異なる。
【０１０７】
以上のように、第２実施形態の太陽電池照明装置システム２は、複数の太陽電池照明装置２０，２１を備える。太陽電池照明装置２０は、時間を計測する第１タイマー部１１３を含む。制御部１０８は、照明通信部１１２が照明通信部１１２１から送信された信号を受信したときに、第１タイマー部１１３が時間の計測を開始するように制御し、第１タイマー部１１３が所定の時間を計測したときに撮像部１０９が画像の撮影を開始するように撮像部１０９を制御する。
【０１０８】
このようにすることにより、太陽電池照明装置２０は、太陽電池照明装置２１の人検知部１０７１によって人が検知されてから、所定の時間を第１タイマー部１１３が計測したときに、撮像部１０９で画像の撮影を開始する。
【０１０９】
太陽電池照明装置２１の人検知部１０７１によって人が検知されてから、その人が太陽電池照明装置２０の撮像部１０９の撮影可能範囲に入るまでの間には時間がかかる。この間は、太陽電池照明装置２０の撮像部１０９が周囲の画像を撮影しても、人が写らない。そこで、太陽電池照明装置２１の人検知部１０７１によって人が検知されてから、所定の時間を第１タイマー部１１３が計測したときに、撮像部１０９で画像の撮影を開始することによって、人の写っていない不要な画像が画像蓄積部１１０に保存されることを防ぐことができる。
【０１１０】
なお、第１タイマー部１１３が時間の計測を開始してから撮像部１０９が画像の撮影を開始するまでの所定の時間は、太陽電池照明装置２０と太陽電池照明装置２１との間の距離等に基づいて、適切に設定されればよい。
【０１１１】
第２実施形態の太陽電池照明装置システム２のその他の構成と効果は、第１実施形態の太陽電池照明装置システム１と同様である。
【０１１２】
また、太陽電池照明装置２ｋにおいては、太陽電池照明装置２０と同様に、図５に示す制御処理が行われる。
【０１１３】
なお、この実施形態においては、太陽電池照明装置２０を主照明装置として、太陽電池照明装置２ｋを副照明装置として説明したが、太陽電池照明装置２０と太陽電池照明装置２ｋは、同一の構成を有している。また、太陽電池照明装置２ｋにおいても、太陽電池照明装置２０と同様に、図５に示す制御処理が行われる。したがって、太陽電池照明装置２０，２ｋのいずれが主照明装置として用いられてもよいし、いずれが副照明装置として用いられてもよい。
【０１１４】
（第３実施形態）
図６は、第３実施形態の太陽電池照明装置システムの概略的な構成を示すブロック図である。
【０１１５】
図６に示すように、太陽電池照明装置３０は、図２に示される太陽電池照明装置１０の構成に加えて、さらに、第２タイマー部１１４を備える。
【０１１６】
第３実施形態においても、太陽電池照明装置システム３は、主照明装置として太陽電池照明装置３０と、副照明装置として複数の太陽電池照明装置を備える。図６では、太陽電池照明装置システム３を構成する太陽電池照明装置の例として、主照明装置として太陽電池照明装置３０と、副照明装置の一つとして太陽電池照明装置３ｋのみを示している。この実施形態においては、副照明装置はｎ個、設置されている。以下、副照明装置のうちの任意の一つを、太陽電池照明装置３ｋ（ｋ＝１，２，…，ｎ）と表す。太陽電池照明装置３０を主照明装置、太陽電池照明装置３ｋを副照明装置として説明する。
【０１１７】
第３実施形態においては、太陽電池照明装置３０を主照明装置として、太陽電池照明装置３ｋを副照明装置として説明するが、太陽電池照明装置３０，３ｋは、同一の構成を有している。したがって、太陽電池照明装置３０と太陽電池照明装置３ｋのいずれが主照明装置として用いられてもよいし、いずれが副照明装置として用いられてもよい。
【０１１８】
また、第３実施形態においては、太陽電池照明装置３１は、主照明装置である太陽電池照明装置３０に隣接する副照明装置であるとする。第１実施形態と第２実施形態と同様に、主照明装置である太陽電池照明装置３０の第１識別番号記憶部１１１には、隣接する副照明装置として太陽電池照明装置３１の識別番号が記憶されている。
【０１１９】
第２タイマー部１１４は、太陽電池照明装置３０の照明通信部１１２が、他の太陽電池照明装置３１から人体を検知したことを通知する通知信号を受信して撮像部１０９で撮影を開始するときに、制御部１０８からの指示で起動する。
【０１２０】
太陽電池照明装置３０に隣接する太陽電池照明装置３１の人検知部１０７１が太陽電池照明装置３１の周辺に人体を検知すると、人体を検知したことを通知する通知信号が太陽電池照明装置３０に送信される。この通知信号を受信した太陽電池照明装置３０は、受信直後、あるいは、第２実施形態の太陽電池照明装置システムと同様に、第１設定時間経過後に、撮像部１０９で太陽電池照明装置３０の周辺の撮影を開始する。
【０１２１】
一方、太陽電池照明装置３１の人検知部１０７１で検知された人は、太陽電池照明装置３１から、隣接する太陽電池照明装置３０や他の太陽電池照明装置のいずれかがある場所に移動する。このことは、人検知部１０７１による検知の対象となった人が移動しない方向に設置されている太陽電池照明装置も存在することを意味する。太陽電池照明装置３１の人検知部１０７１で人が検知されたときに他の太陽電池照明装置で撮影を開始しても、その人が近付かない太陽電池照明装置では、撮影の対象となる人が映っていない画像を画像蓄積部に保存することになる。
【０１２２】
このことを考慮して、撮影の対象者が人体の検知を通知した太陽電池照明装置３１から太陽電池照明装置３０の撮影可能範囲に到着するまでの時間より十分に長い第２設定時間を、太陽電池照明装置システム３の設置時あるいは設定変更時に、例えば、照明通信部１１２を経由して、外部から設定しておく。なお、第２設定時間は、すべての太陽電池照明装置で共通の値に設定してもよいし、人体の検知を通知した太陽電池照明装置の識別番号毎に個別に設定してもよい。
【０１２３】
図７は、第３実施形態の太陽電池照明装置システムのうちの１つの太陽電池照明装置における制御処理を順に示すフローチャートである。図３に示す第１実施形態の太陽電池照明装置と異なる行程について説明する。
【０１２４】
図７に示すように、ステップＳ１０４で、通知信号を送信した太陽電池照明装置が太陽電池照明装置３０に隣接して設置された太陽電池照明装置３１であることが確認された場合には、ステップＳ３０１にて、制御部１０８は、第２タイマー部１１４をリセットして、カウントを開始させる。次に、ステップＳ１２２にて、制御部１０８は、撮像部１０９で太陽電池照明装置３０の周辺の画像撮影を開始させる。
【０１２５】
ステップＳ１２３では、制御部１０８は、太陽電池照明装置３０の人検知部１０７が人体を検知しているかどうか確認する。人検知部１０７が人体を検知していれば、検知の対象となった人が太陽電池照明装置３１から太陽電池照明装置３０に移動したと判断して、処理はステップＳ１１２に移行する。人検知部１０７が人体を検知していなければ、ステップＳ３０２に進む。
【０１２６】
ステップＳ３０２では、制御部１０８は、第２タイマー部１１４が第２設定時間を計測したかどうか調べる。第２タイマー部１１４が第２設定時間を計測していなければ、ステップＳ１２３に戻る。第２タイマー部１１４が第２設定時間を計測していれば、太陽電池照明装置３１の人検知部１０７１で検知された人は太陽電池照明装置３０の方向に移動してこないと判断して、ステップＳ１２５で撮像部１０９での画像撮影を終了させる。さらに、ステップＳ３０３にて、第２設定時間に画像蓄積部１１０に蓄積された画像データを削除する。そして、ステップＳ１０１に戻る。
【０１２７】
第３実施形態の太陽電池照明装置システム３の他の制御処理は、第１実施形態の太陽電池照明装置の制御処理と同様である。
【０１２８】
以上のように、第３実施形態に係る太陽電池照明装置システム３では、第２タイマー部１１４の出力が第２設定時間を越えるまでに、太陽電池照明装置３０の人検知部１０７で人体を検知しなかった場合、撮像部１０９での撮影を終了すると共に、画像蓄積部１１０に保存した対応する画像データを削除する。このようにすることにより、人体の検知を通知した他の太陽電池照明装置３１から撮影の対象者が太陽電池照明装置３０に近付かない場合に、撮影を継続することによって発生する消費電力を削減できるとともに、画像蓄積部１１０に不要な画像データを保存することを防止することができる。
【０１２９】
このように、第３実施形態の太陽電池照明装置システム３は、太陽電池照明装置３０の照明通信部１１２で、他の太陽電池照明装置３１から人体を検知したことを通知する通知信号を受信してから、予め設定した第２の時間が経過するまでに、太陽電池照明装置３０の人検知部１０７で人体を検知しなかったときに、撮像部１０９での撮影を終了すると共に、画像蓄積部１１０に保存した対応する画像データを削除する機能を有する点で、第１実施形態、第２実施形態と異なる。
【０１３０】
以上のように、第３実施形態の太陽電池照明装置システム３においては、太陽電池照明装置３０は、太陽電池照明装置３０の周辺に人がいることを検知するための人検知部１０７と、時間を計測する第２タイマー部１１４とを含む。制御部１０８は、太陽電池照明装置３０の照明通信部１１２が太陽電池照明装置３１の照明通信部１１２１から送信された信号を受信したときに、第２タイマー部１１４が時間の計測を開始するように制御する。第２タイマー部１１４が所定の時間を計測するまでの間に太陽電池照明装置３０の人検知部１０７によって人が検知されていない場合には、制御部１０８は撮像部１０９が画像の撮影を終了するように撮像部１０９を制御する。制御部１０８は、第２タイマー部１１４が時間の計測を開始してから所定の時間を計測するまでの間に画像蓄積部１１０が保存した画像を消去する。
【０１３１】
このようにすることにより、太陽電池照明装置３１の人検知部１０７１が人を検知してから所定の時間の間、太陽電池照明装置３０の人検知部１０７が人を検知しない場合には、太陽電池照明装置３０は、画像の撮影を終了する。また、第２タイマー部１１４が時間の計測を開始してから、撮像部１０９が画像の撮影を終了するまでの間に画像蓄積部１１０が保存した画像を消去する。
【０１３２】
太陽電池照明装置３１の人検知部１０７１が人を検知してから所定の時間の間、太陽電池照明装置３０の人検知部１０７が人を検知しない場合、太陽電池照明装置３１の周辺にいた人は、太陽電池照明装置３０に向かって移動していないと考えられる。
【０１３３】
そこで、太陽電池照明装置３１の人検知部１０７１が人を検知してから所定の時間の間、太陽電池照明装置３０の人検知部１０７が人を検知しない場合には、太陽電池照明装置３０は、画像の撮影を終了し、所定の時間の間に画像蓄積部１１０が保存した画像を消去することによって、人の写っていない不要な画像が画像蓄積部１１０に保存されることを防ぐことができる。また、撮影を継続することによって生じる消費電力を削減することができる。
【０１３４】
なお、第２タイマー部１１４が時間の計測を開始してから撮像部１０９が画像の撮影を終了するまでの所定の時間は、太陽電池照明装置３０と太陽電池照明装置３１との間の距離等に基づいて、適切に設定されればよい。
【０１３５】
また、太陽電池照明装置３ｋにおいては、図７に示す、太陽電池照明装置３０と同様の制御処理が行われる。
【０１３６】
第３実施形態の太陽電池照明装置システム３のその他の構成と効果は、第１実施形態の太陽電池照明装置システム１と同様である。
【０１３７】
なお、この実施形態においては、太陽電池照明装置３０を主照明装置として、太陽電池照明装置３ｋを副照明装置として説明したが、太陽電池照明装置３０と太陽電池照明装置３ｋは、同一の構成を有している。また、太陽電池照明装置３ｋにおいても、太陽電池照明装置３０と同様に、図７に示す制御処理が行われる。したがって、太陽電池照明装置３０，３ｋのいずれが主照明装置として用いられてもよいし、いずれが副照明装置として用いられてもよい。
【０１３８】
（第４実施形態）
図８は、この発明の第４実施形態として、太陽電池照明装置システムの全体の構成を模式的に示す図である。
【０１３９】
図８に示すように、第４実施形態の太陽電池照明装置システム４が第１実施形態の太陽電池照明装置システム１（図１）と異なる点としては、少なくとも１台の太陽電池照明装置４０が管理通信部１１５を備える。太陽電池照明装置４０は、管理通信部１１５を通して太陽電池照明装置システム４を管理する管理センター６０と通信する。管理通信部１１５と、管理センター６０の管理センター用通信部６０１とは互いに信号の送受信を行なう。太陽電池照明装置４０は、管理センター６０に太陽電池照明装置システム４の動作状態と、画像蓄積部に保存されている画像データを送信する。
【０１４０】
第４実施形態においても、太陽電池照明装置システム４は、主照明装置として太陽電池照明装置４０と、副照明装置として複数の太陽電池照明装置を備える。太陽電池照明装置２０を主照明装置、太陽電池照明装置４１，４２，４３…４ｎを副照明装置として説明する。この実施形態においては、副照明装置はｎ個、設置されている。以下、副照明装置のうちの任意の一つを、太陽電池照明装置４ｋ（ｋ＝１，２，…，ｎ）と表す。
【０１４１】
この実施形態においては、太陽電池照明装置システム４を構成する太陽電池照明装置のうち、１つの太陽電池照明装置４０のみが管理通信部１１５を備え、他の太陽電池照明装置４ｋは、管理通信部１１５を備えない。
【０１４２】
図９は、第４実施形態の太陽電池照明装置システムの概略的な構成を示すブロック図である。図９では、太陽電池照明装置システムを構成する太陽電池照明装置の例として、主照明装置として太陽電池照明装置４０と、副照明装置の一つとして太陽電池照明装置４ｋのみを示している。
【０１４３】
図９に示すように、太陽電池照明装置４０は、第１実施形態の太陽電池照明装置１０（図２）の構成に加えて、さらに、管理通信部１１５と第２識別番号記憶部１１６を備える。第２識別番号記憶部１１６は、太陽電池照明装置４０が照明通信部１１２を介して通信を管理する他の太陽電池照明装置４ｋのそれぞれの識別番号を保存する。すなわち、第２識別番号記憶部１１６には、１〜ｎのｎ個の識別番号が記憶されている。例えば、第２識別番号記憶部１１６の１番目に記憶されている識別番号には、太陽電池照明装置４１が対応する。第２識別番号記憶部１１６のｎ番目に記憶されている識別番号には、太陽電池照明装置４ｎが対応する。
【０１４４】
太陽電池照明装置４０のその他の構成は、太陽電池照明装置１０と同様である。また、図８に示す太陽電池照明装置４ｋは、太陽電池照明装置４０と同様に、撮像部１０９ｋや、画像蓄積部１１０ｋや、照明通信部１１２ｋを備えるものとする。
【０１４５】
太陽電池照明装置４０は、第２識別番号記憶部１１６に保存された識別番号を有する他の太陽電池照明装置４ｋに対して、照明通信部１１２を介して、例えばポーリング方式で、各太陽電池照明装置４ｋの動作状態の確認や画像データの送信を指示する。太陽電池照明装置４０から照明通信部１１２ｋを介して制御信号を受信した太陽電池照明装置４ｋは、その制御信号に含まれる指示に対応した応答を、照明通信部１１２ｋを介して太陽電池照明装置４０に返信する。
【０１４６】
また、管理センター６０は、管理センター６０で管理している太陽電池照明装置４０に対して、管理センター用通信部６０１、管理通信部１１５を経由して、太陽電池照明装置４０および太陽電池照明装置４０が通信を管理する太陽電池照明装置４ｋの動作状態の確認や画像データの送信を指示する。太陽電池照明装置４０は、管理センター６０からの制御信号に含まれる指示に対応した応答を、管理通信部１１５、管理センター用通信部６０１を経由して、管理センター６０に返信する。
【０１４７】
一般に、太陽電池照明装置システム４と管理センター６０との間の距離は、太陽電池照明装置間の距離に比べて離れているので、管理通信部１１５は照明通信部１１２に比べてコストがかかる。そのため、すべての太陽電池照明装置４０，４ｋに管理通信部１１５を備える代わりに、太陽電池照明装置システム４の全体で少なくとも１台、あるいは、太陽電池照明装置システム４のグループ単位で１台の管理通信部１１５を備えることで、システム全体のコストを低減することができる。この実施形態においては、太陽電池照明装置システム４の全体で１台の管理通信部１１５を太陽電池照明装置４０が備える。
【０１４８】
太陽電池照明装置４０は主照明装置の一例であり、太陽電池照明装置４ｋは副照明装置の一例である。また、太陽電池照明装置４ｋの撮像部１０９ｋは副撮像部の一例であり、画像蓄積部１１０ｋは、副画像保存部の一例である。
【０１４９】
なお、管理通信部１１５を備えた太陽電池照明装置４０は、管理通信部１１５を備えていない太陽電池照明装置４ｋに比べて消費電力が大きいので、太陽電池照明装置４０の太陽電池１０１と蓄電池１０３の容量を他の太陽電池照明装置４ｋの太陽電池１０１ｋと蓄電池１０３ｋの容量よりも大きくしてもよい。
【０１５０】
このように、第４実施形態に係る太陽電池照明装置システム４では、少なくとも１台の太陽電池照明装置４０に、管理センター６０と通信するための管理通信部１１５を備えることによって、管理通信部１１５を備える太陽電池照明装置４０は直接管理センター６０と通信することができる。一方、管理通信部１１５を備えない太陽電池照明装置４ｋは管理通信部１１５を備えた太陽電池照明装置４０の管理通信部１１５を経由して管理センター６０と通信することができる。
【０１５１】
以上のように、第４実施形態の太陽電池照明装置システム４は、太陽電池照明装置システム４を管理するための管理センター６０を備える。太陽電池照明装置４０は、管理センター６０と情報の送受信を行なうための管理通信部１１５を含む。太陽電池照明装置４ｋは、太陽電池照明装置４ｋの周辺の画像を撮影するための撮像部１０９ｋと、撮像部１０９ｋで撮影された画像を保存する画像蓄積部１１０ｋとを含む。太陽電池照明装置４ｋの照明通信部１１２ｋは、太陽電池照明装置４ｋの画像蓄積部１１０ｋに保存される画像を、太陽電池照明装置４０の照明通信部１１２に送信する。管理通信部１１５は、太陽電池照明装置４０の画像蓄積部１１０に保存される画像を管理センター６０に送信し、太陽電池照明装置４０の照明通信部１１２が太陽電池照明装置４ｋの照明通信部１１２ｋから受信した画像を管理センター６０に送信するように構成されている。
【０１５２】
このように、太陽電池照明装置４ｋの撮像部１０９ｋで撮影された画像は、太陽電池照明装置４ｋの画像蓄積部１１０ｋに保存される。太陽電池照明装置４ｋの画像蓄積部１１０ｋに保存される画像は、太陽電池照明装置４ｋの照明通信部１１２ｋから太陽電池照明装置４０の照明通信部１１２に送信される。太陽電池照明装置４０の照明通信部１１２が太陽電池照明装置４ｋの照明通信部１１２ｋから受信した画像は、太陽電池照明装置４０の画像蓄積部１１０に保存されている画像とともに、管理通信部１１５によって管理センター６０に送信される。すなわち、太陽電池照明装置４ｋの撮像部１０９ｋが撮影した画像は、太陽電池照明装置４ｋから直接、管理センター６０に送信されるのではなく、一旦、太陽電池照明装置４０を経由して管理センター６０に送信される。したがって、太陽電池照明装置４ｋのそれぞれと管理センター６０との間で長距離伝送を行なうための無線通信機などを必要とすることなく、太陽電池照明装置４ｋの撮像部１０９ｋが撮影した画像を管理センター６０に送信することができる。
【０１５３】
このようにすることにより、太陽電池照明装置４０と太陽電池照明装置４ｋのそれぞれが別々に管理センター６０に画像等を送信する場合と比較して、太陽電池照明装置システム４の全体のコストを低減することができる。
【０１５４】
第４実施形態の太陽電池照明装置システム４のその他の構成と効果は、第１実施形態の太陽電池照明装置システム１と同様である。
【０１５５】
（第５実施形態）
第５実施形態の太陽電池照明装置システムが第４実施形態の太陽電池照明装置システムと異なる点としては、太陽電池の出力電圧が基準電圧より高い発電状態にある場合にのみ、管理センターに画像等の送信を開始する。第５実施形態の太陽電池照明装置システムの構成は、図８と図９に示す第４実施形態の太陽電池照明装置システム４と同様である。
【０１５６】
すなわち、第５実施形態においても、太陽電池照明装置システム４は、主照明装置として太陽電池照明装置４０と、副照明装置として複数の太陽電池照明装置４ｋを備える。図９では、太陽電池照明装置システム４を構成する太陽電池照明装置の例として、主照明装置として太陽電池照明装置４０と、副照明装置の一つとして太陽電池照明装置４ｋのみを示している。太陽電池照明装置４０を主照明装置、太陽電池照明装置４１，４２，４３…４ｎを副照明装置として説明する。この実施形態においては、副照明装置はｎ個、設置されている。以下、副照明装置のうちの任意の一つを、太陽電池照明装置４ｋ（ｋ＝１，２，…，ｎ）と表す。
【０１５７】
図１０は、第５実施形態の太陽電池照明装置システムを構成する、１つの太陽電池照明装置における制御処理を順に示すフローチャートである。以下の各行程において、所定の判断の主体は制御部１０８（図９）である。
【０１５８】
図１０に示すように、まず、ステップＳ４０１にて、太陽電池照明装置４０の制御部１０８は、電源切替部１０２を経由して、太陽電池照明装置４０の太陽電池１０１の出力電圧が所定の電圧として、基準電圧より高い発電状態にあるかどうかを確認する。この実施形態においては、基準電圧は、電源切替部１０２が蓄電池１０３に蓄積された電力を照明電源部１０４に供給するように切り替える電圧であるとする。太陽電池照明装置４０の太陽電池１０１が発電状態になければ、太陽電池照明装置４０の蓄電池１０３の消耗を防止するため、処理を終了する。太陽電池照明装置４０の太陽電池１０１が発電状態にあれば、ステップＳ４０２に進み、太陽電池照明装置４０の画像蓄積部１１０に保存されている画像を、管理通信部１１５から管理センター６０に送信する。管理センター６０から画像データの正常受信を示す応答信号を受信して、画像データの送信が正常に終了すれば、ステップＳ４０３では、送信を完了した画像データを画像蓄積部１１０から消去する。なお、画像データの送信が正常に終了したかどうかの判断は、他の方法で行われてもよい。
【０１５９】
一定量の画像データを送信する毎に、ステップＳ４０４にて、画像蓄積部１１０に保存されている画像データの量を調べ、すべての画像データの送信が完了しているかどうかを確認する。すべての画像データの送信が完了していなければ、すなわち、未送信の画像データが残っていれば、ステップＳ４０１に戻る。また、すべての画像データの送信が完了していれば、ステップＳ４１０に移行する。
【０１６０】
なお、太陽電池１０１の発電状態は随時変化するため、太陽電池照明装置４０から管理センター６０に画像データを送信している間に、太陽電池１０１の出力電圧が基準電圧より低くなる可能性がある。その場合、電源切替部１０２は、太陽電池１０１の出力電圧の低下を検知して、蓄電池１０３に蓄積された電力をＤＣ−ＤＣコンバータ１０６に供給するので、画像データの送信に支障は生じない。また、一定量の画像データを送信する毎に、太陽電池１０１の発電状態を調査するようにしているので、蓄電池１０３の消耗を最小限に抑えることができる。
【０１６１】
ステップＳ４１０では、太陽電池照明装置４０の制御部１０８は、制御部１０８が有するカウンタｉの初期値を１に設定する。また、制御部１０８が有するレジスタｎに、第２識別番号記憶部１１６に記録されている識別番号の個数を設定する。この実施形態においては、レジスタｎには、副照明装置である太陽電池照明装置４ｋの個数、すなわち、ｎが設定される。
【０１６２】
ここで、第２識別番号記憶部１１６には、１〜ｎのｎ個の識別番号が記憶されている。例えば、第２識別番号記憶部１１６の１番目に記憶されている識別番号には、太陽電池照明装置４１が対応する。第２識別番号記憶部１１６のｎ番目に記憶されている識別番号には、太陽電池照明装置４ｎが対応する。ステップＳ４１１では、太陽電池照明装置４０の制御部１０８は、第２識別番号記憶部１１６のｉ番目に記録されている識別番号に対応する太陽電池照明装置４ｉに、照明通信部１１２を介して、太陽電池照明装置４ｉの発電状態を問合せる。例えば、ステップＳ４１０においてカウンタｉの値が１に設定されると、制御部１０８は、太陽電池照明装置４１の発電状態を問い合わせる。
【０１６３】
ステップＳ４１２では、太陽電池照明装置４ｉの太陽電池１０１ｉの出力が基準電圧よりも高い発電状態であるかどうかを確認する。太陽電池照明装置４ｉが発電状態になければ、太陽電池照明装置４ｉの蓄電池１０３ｉの消耗を防止するため、画像データの転送処理を行わずに、ステップＳ４１６に移行する。太陽電池照明装置４ｉが発電状態にあれば、ステップＳ４１３に進み、太陽電池照明装置４０の太陽電池１０１が発電状態にあるかどうかを調査する。太陽電池照明装置４０の太陽電池１０１が発電状態になければ、蓄電池１０３の消耗を防止するため、処理を終了する。太陽電池照明装置４０の太陽電池１０１が発電状態にあれば、ステップＳ４１４に進む。
【０１６４】
ステップＳ４１４では、太陽電池照明装置４０の制御部１０８は、第２識別番号記憶部１１６のｉ番目に記録されている識別番号に対応する太陽電池照明装置４ｉに、照明通信部１１２を介して、太陽電池照明装置４ｉの画像蓄積部１１０ｉに画像が保存されているかどうかを問合せる。
【０１６５】
ステップＳ４１５では、太陽電池照明装置４ｉの画像蓄積部１１０ｉに画像データが保存されているかどうかを判断する。太陽電池照明装置４ｉの画像蓄積部１１０ｉに画像データが保存されていれば、画像データの転送処理を行うため、ステップＳ４２１に移行する。太陽電池照明装置４ｉの画像蓄積部１１０ｉに画像データが保存されていなければ、画像データの転送処理は必要ないので、ステップＳ４１６に進む。
【０１６６】
ステップＳ４１６では、カウンタｉの値を１つ増加させる。ステップＳ４１７では、カウンタｉの値が第２識別番号記憶部１１６に記録されている識別番号の個数ｎを超えたかどうかを判断する。カウンタｉの値が第２識別番号記憶部１１６に記録されている識別番号の個数ｎを超えていなければ、第２識別番号記憶部１１６に記録されていて、まだ、通信をしていない太陽電池照明装置４ｉが存在するので、ステップＳ４１１に戻る。カウンタｉの値が第２識別番号記憶部１１６に記録されている識別番号の個数ｎを超えていれば、第２識別番号記憶部１１６に記録されているすべての太陽電池照明装置４ｉとの通信を実行したので、処理を終了する。
【０１６７】
ステップＳ４２１では、太陽電池照明装置４０の制御部１０８は、第２識別番号記憶部１１６のｉ番目に記録されている識別番号に対応する太陽電池照明装置４ｉに、照明通信部１１２を介して、画像データの送信を指示する。
【０１６８】
ステップＳ４２２では、太陽電池照明装置４０の制御部１０８は、太陽電池照明装置４ｉから照明通信部１１２ｉを介して送られてくる画像データを、画像蓄積部１１０に保存する。
【０１６９】
ステップＳ４２３では、太陽電池照明装置４０の制御部１０８は、太陽電池照明装置４ｉに、送信を完了した画像データを太陽電池照明装置４ｉの画像蓄積部１１０ｉから消去するように指示する。その結果、太陽電池照明装置４ｉは、画像蓄積部１１０ｉから対応する画像データを消去する。
【０１７０】
ステップＳ４２４では、太陽電池照明装置４０の制御部１０８は、第２識別番号記憶部１１６のｉ番目に記録されている識別番号と、画像蓄積部１１０に保存されている画像データを、管理通信部１１５から管理センター６０に送信する。そして、画像データの送信が正常に終了したら、ステップＳ４２５にて、送信を完了した画像データを画像蓄積部１１０から消去する。このようにして、一定量の画像データの転送処理（ステップＳ４２１〜ステップＳ４２５）が完了する毎に、ステップＳ４１１に移行する。
【０１７１】
以上の処理を、太陽電池照明装置４０の太陽電池１０１と太陽電池照明装置４ｋの太陽電池１０１ｋが発電状態にある場合に繰り返すことによって、太陽電池照明装置４０の蓄電池１０３と太陽電池照明装置４ｋの蓄電池１０３ｋの消耗を最低限に抑えながら、すべての太陽電池照明装置４０，４ｋで保存されている画像データを管理センター６０に送信することができる。
【０１７２】
また、太陽電池照明装置４０では、管理センター６０に送信を完了した画像データを消去するようにしているので、照明通信部１１２を介して通信を管理する他の太陽電池照明装置４ｋの台数分の画像メモリを画像蓄積部１１０に備える必要がなく、コストの増加を抑えることができる。
【０１７３】
以上のように、第５実施形態に従った太陽電池照明装置システムにおいては、制御部１０８は、太陽電池照明装置４０の太陽電池１０１の出力電圧が所定の電圧よりも高い場合に、太陽電池照明装置４０の画像蓄積部１１０に保存される画像を管理通信部１１５が管理センター６０に送信し、かつ、太陽電池照明装置４０の照明通信部１１２が太陽電池照明装置４ｋの照明通信部１１２ｋから受信した画像を管理通信部１１５が管理センター６０に送信するように、管理通信部１１５を制御する。
【０１７４】
このように、太陽電池照明装置４０の太陽電池１０１の出力電圧が所定の電圧よりも高い場合に、太陽電池照明装置４０の管理通信部１１５と管理センター６０との通信を行なうことによって、太陽電池照明装置４０の蓄電池１０３の消耗を抑えることができる。
【０１７５】
また、第５実施形態の照明装置システムにおいては、制御部１０８は、太陽電池照明装置４ｋの太陽電池１０１ｋの出力電圧が所定の電圧よりも高い場合に、太陽電池照明装置４ｋの画像蓄積部１１０ｋに保存されている画像を、太陽電池照明装置４ｋの照明通信部１１２ｋが太陽電池照明装置４０の照明通信部１１２に送信するように、照明通信部１１２と照明通信部１１２ｋと管理通信部１１５とを制御する。
【０１７６】
このように、太陽電池照明装置４ｋの太陽電池１０１ｋの出力電圧が所定の電圧よりも高い場合に、太陽電池照明装置４ｋの照明通信部１１２ｋと太陽電池照明装置４０の照明通信部１１２とが通信を行なうことによって、太陽電池照明装置４ｋの蓄電池１０３ｋの消耗を抑えることができる。
【０１７７】
第５実施形態の太陽電池照明装置のその他の構成と効果は、第１実施形態の太陽電池照明装置１と同様である。
【０１７８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【産業上の利用可能性】
【０１７９】
本発明は、昼間に太陽電池で発電された電力を蓄電池に充電すると共に、太陽電池および蓄電池の電力を使用して設置場所周辺の照明および映像監視を行う太陽電池照明装置システムに適用でき、例えば、公園や住宅街に設置される街路灯や常夜灯に利用することができる。
【符号の説明】
【０１８０】
１，２，３，４：太陽電池照明装置システム、１０，１ｋ，２０，２ｋ，３０，３ｋ，４０，４ｋ：太陽電池照明装置、６０：管理センター、１０１，１０１ｋ：太陽電池、１０３，１０３ｋ：蓄電池、１０５，１０５ｋ：照明部、１０７，１０７ｋ：人検知部、１０８，１０８ｋ：制御部、１０９，１０９ｋ：撮像部、１１０，１１０ｋ：画像蓄積部、１１２，１１２ｋ：照明通信部、１１３，１１３ｋ：第１タイマー部、１１４，１１４ｋ：第２タイマー部、１１５：管理通信部。
【図１】
2010213165.tif 000003
【図２】
2010213165.tif 000004
【図３】
2010213165.tif 000005
【図４】
2010213165.tif 000006
【図５】
2010213165.tif 000007
【図６】
2010213165.tif 000008
【図７】
2010213165.tif 000009
【図８】
2010213165.tif 000010
【図９】
2010213165.tif 000011
【図１０】
2010213165.tif 000012